(57)【要約】【課題】ハウジング内の限られたスペースを有効に活用し、適切にカードの挿着を検出すること。【解決手段】カードを装着可能なハウジング２と、カードの挿着を検出する検出スイッチ１９とを備えたカード用コネクタにおいて、検出スイッチ１９は、第１固定接点部１９３ａと第２固定接点部１９３ｂとからなる固定接点部１９と、第１固定接点部１９３ａと常時接触する第１接点部１９２ｂと、カードの挿入に伴い駆動するときに第２固定接点部１９３ｂと接触する第２接点部１９３ｃとからなる可動接点ばね１９２と、カードとの当接により回動して可動接点ばね１９２を回動させるレバー１９１とからなり、第２固定接点部１９３ｂは、第１固定接点部１９３ａよりもカード挿入方向の奥側に配置されると共に、第１固定接点部１９３ａが形成される平面よりもレバー１９１の回動方向の外側の位置に配置される。【選択図】図６
2009277632.tif 000002
【特許請求の範囲】
【請求項１】
カードを装着可能な装着部を有するハウジングと、前記装着部に対する前記カードの挿着を検出する検出手段とを備え、
前記検出手段は、第１固定接点部と第２固定接点部とからなる固定接点部と、前記第１固定接点部と常時接触する第１接点部と、前記カードの挿入に伴い駆動するときに前記第２固定接点部と接触する第２接点部とからなる可動接点部材と、前記可動接点部材が設けられ、前記カードの挿入口側で軸支されて前記カードとの当接により回動して前記可動接点部材を回動させる駆動部材とからなり、
前記第２固定接点部は、前記第１固定接点部よりも前記カード挿入方向の奥側に配置されると共に、前記第１固定接点部が形成される平面よりも前記駆動部材の回動方向の外側の位置に配置されることを特徴とするカード用コネクタ。
【請求項２】
前記固定接点部は、前記ハウジングに設けられ、前記第１固定接点部が設けられた前記ハウジングの第１面と前記第２固定接点部が設けられた第２面との間には段差が設けられ、
前記可動接点部材は、捻りコイルばねからなり、前記第２接点部が前記第１接点部よりも前記固定接点部が設けられた前記ハウジングに向けて鋭角に延出することを特徴とする請求項１記載のカード用コネクタ。
【請求項３】
前記固定接点部は、前記ハウジングの側壁に設けられていることを特徴とする請求項２記載のカード用コネクタ。
【発明の詳細な説明】
【技術分野】
【０００１】
本発明は、カード用コネクタに関し、特に、カードの挿着を検出するカード検出スイッチを備えたカード用コネクタに関する。
【背景技術】
【０００２】
従来、ハウジングの側壁部近傍に回動可能に軸支された駆動部材を備え、この駆動部材をカードの挿入に伴って当該カードの幅方向に回動させることで、この駆動部材に取り付けた可動接点ばねと、ハウジングの側壁部に設けた一対の固定接点とを電気的に接続してカードの挿着を検出するカード検出スイッチを備えるカード用コネクタが知られている（例えば、特許文献１参照）。
【０００３】
ところで、近年、このようなカード用コネクタに装着されるＳＤカード等のカードは小型化されている。一方、このようなカードに対して各種データの記録等を行う電子機器も小型化されている。このため、このような電子機器に搭載され、カードを装着するカード用コネクタにおいても、更なる小型化が要請されている。
【特許文献１】特開２００５−１３４９７８号公報
【発明の開示】
【発明が解決しようとする課題】
【０００４】
しかしながら、上述したように駆動部材を回動させ、これに取り付けた可動接点ばねと、ハウジングの側壁部に設けた一対の固定接点とを電気的に接続するようなカード検出スイッチにおいては、カードの寸法の小型化に伴って、可動接点ばねの寸法や、一対の固定接点間の距離を縮小することに限界がある。これらを縮小する場合には、可動接点ばねの付勢力を確保することができなくなる事態や、駆動部材の回動に伴ってカードの挿着を検出することができなくなる事態を引き起こし、カード検出スイッチ本来の機能を喪失してしまうためである。
【０００５】
従って、このような小型化が要請されるカード用コネクタに実装されるカード検出スイッチにおいては、ハウジング内の限られたスペースを有効に活用し、適切にカードの挿着を検出することが要請される。
【０００６】
本発明はこのような実情に鑑みてなされたものであり、ハウジング内の限られたスペースを有効に活用し、適切にカードの挿着を検出することができるカード用コネクタを提供することを目的とする。
【課題を解決するための手段】
【０００７】
本発明のカード用コネクタは、カードを装着可能な装着部を有するハウジングと、前記装着部に対する前記カードの挿着を検出する検出手段とを備え、前記検出手段は、第１固定接点部と第２固定接点部とからなる固定接点部と、前記第１固定接点部と常時接触する第１接点部と、前記カードの挿入に伴い駆動するときに前記第２固定接点部と接触する第２接点部とからなる可動接点部材と、前記可動接点部材が設けられ、前記カードの挿入口側で軸支されて前記カードとの当接により回動して前記可動接点部材を回動させる駆動部材とからなり、前記第２固定接点部は、前記第１固定接点部よりも前記カード挿入方向の奥側に配置されると共に、前記第１固定接点部が形成される平面よりも前記駆動部材の回動方向の外側の位置に配置されることを特徴とする。
【０００８】
上記カード用コネクタによれば、第２固定接点部は、第１固定接点部よりもカード挿入方向の奥側に配置されると共に、第１固定接点部が形成される平面よりも駆動部材の回動方向の外側の位置に配置されることから、可動接点部材の第２接点部を第１接点部よりも鋭角に固定接点部側に延出させることにより、第２接点部が鈍角に延出する場合と比べてカード挿入方向側に第２接点部の摺動領域を確保することができるので、ハウジング内の限られたスペースを有効に活用し、適切にカードの挿着を検出することが可能となる。
【０００９】
上記カード用コネクタにおいては、前記固定接点部は、前記ハウジングに設けられ、前記第１固定接点部が設けられた前記ハウジングの第１面と前記第２固定接点部が設けられた第２面との間には段差が設けられ、前記可動接点部材は、捻りコイルばねからなり、前記第２接点部が前記第１接点部よりも前記固定接点部が設けられた前記ハウジングに対して鋭角に延出することが好ましい。この場合には、第２接点部を第１接点部よりも固定接点部が設けられたハウジングに向けて鋭角に延出させたことから、第２接点部が鈍角に延出する場合と比べてカード挿入方向側に第２接点部の摺動領域を確保することができるので、ハウジング内の限られたスペースを有効に活用し、適切にカードの挿着を検出することが可能となる。また、ハウジングにおける第１面と第２面との間に段差を設けたことから、簡単な構成により第１固定接点部が形成される第１面よりも駆動部材の回動方向の外側の位置に第２固定接点を精度良く配置することが可能となる。
【００１０】
特に、上記カード用コネクタにおいて、前記固定接点部は、前記ハウジングの側壁に設けられていることが好ましい。この場合には、固定接点部がハウジングの側壁に設けられていることから、コネクタにおける厚さ方向の構成を簡素化することができるので、コネクタの厚さ寸法を薄型化することが可能となる。
【発明の効果】
【００１１】
本発明によれば、第２固定接点部は、第１固定接点部よりもカード挿入方向の奥側に配置されると共に、第１固定接点部が形成される平面よりも駆動部材の回動方向の外側の位置に配置されることから、可動接点部材の第２接点部を第１接点部よりも鋭角に固定接点部側に延出させることにより、第２接点部が鈍角に延出する場合と比べてカード挿入方向側に第２接点部の摺動領域を確保することができるので、ハウジング内の限られたスペースを有効に活用し、適切にカードの挿着を検出することが可能となる。
【発明を実施するための最良の形態】
【００１２】
以下、本発明の一実施の形態について添付図面を参照して詳細に説明する。本実施の形態に係るカード用コネクタ（以下、「コネクタ」という）は、２種類のカードを交差する方向で同時に装着するものである。例えば、本実施の形態に係るコネクタは、携帯電話機等に搭載され、マイクロＳＤカードなどのメモリカード、並びに、ＳＩＭカードなどの契約者情報を記録したＩＣカードを装着するものである。特に、本発明に係るコネクタは、このように装着される２種類のカードのうち、一方のカード（後述する第１カードＡ）の挿着を適切に検出するものである。なお、本実施の形態に係るコネクタで挿着が検出されるカードの種類については特に限定されるものではなく適宜変更が可能である。
【００１３】
図１及び図２は、本実施の形態に係るコネクタ１と、コネクタ１に装着される第１及び第２カードとを示す斜視図である。図１においては、第１及び第２カードが装着される前の状態を示し、図２においては、第１及び第２カードが装着された後の状態を示している。なお、以下においては、適宜、図１に示す紙面上方側を「コネクタ１の前方側」又は単に「前方側」と呼び、同図に示す紙面下方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１４】
図１に示すように、本実施の形態に係るコネクタ１は、第１カードＡ及び第２カードＢが装着されるハウジング２と、ハウジング２の上面に取り付けられる第１カバー部材３と、ハウジング２の下面に取り付けられる第２カバー部材４とを備えて構成される。これらの第１カバー部材３及び第２カバー部材４が取り付けられた状態において、コネクタ１には、後方側に開口した第１カード挿入口５が形成される一方、左方側に開口した第２カード挿入口６が形成されている。なお、第１カード挿入口５は、コネクタ１の後面における上方側部分に形成される一方、第２カード挿入口６は、コネクタ１の左方側側面における下方側部分に形成されている。
【００１５】
後述するように、ハウジング２における第１カード挿入口５の前方側内部には、第１カードＡが装着される装着部としての第１装着部７が形成され、第２カード挿入口６の右方側内部には、第２カードＢが装着される第２装着部８が形成される。第１カードＡは、図２に示すように、第１カード挿入口５から第１装着部７に対してコネクタ１の前方側に向けて装着される。一方、第２カードＢは、図２に示すように、第２カード挿入口６から第２装着部８に対してコネクタ１の右方側に向けて装着される。このように装着された状態において、コネクタ１の内部では第１カードＡと第２カードＢとが上下に重なって配置されている。
【００１６】
この場合において、第１カードＡは、図１に示すように、接触パッドＡ１を下面に配置した状態でコネクタ１に装着され、後述する第１装着部７の下方領域に設けられた第１コンタクト端子１４が接触パッドＡ１に接触するものとなっている。一方、第２カードＢは、図１に示すように、接触パッドＢ１を上面に配置した状態でコネクタ１に装着され、後述する第２装着部８の上方領域に設けられた第２コンタクト端子１５が接触パッドＢ１に接触するものとなっている。
【００１７】
図３は、本実施の形態に係るコネクタ１の分解斜視図である。図４及び図５は、本実施の形態に係るコネクタ１のハウジング２の斜視図及び上面図である。なお、図３〜図５においては、いずれも第１カードＡ及び第２カードＢが装着されていない状態（初期状態）について示している。
【００１８】
第１カバー部材３及び第２カバー部材４は、例えば、金属製の板材料に打ち抜き加工を施すと共に、曲げ加工を施すことにより形成される。図３に示すように、第１カバー部材３は、それぞれ前方側及び後方側の端面から下方側に延出する一対の係合部３１、並びに、側方側の端面から下方側に延出する一対の係合部３２を備え、これらの係合部３１、係合部３２で後述するハウジング２の係合片１０１、１１１、１２１及び１３１を収容することでハウジング２に固定される。一方、第２カバー部材４は、それぞれ前方側及び後方側の端面から上方側に延出する一対の係合部４１、並びに、右方側の端面から上方側に延出する一対の係合部４２を備え、これらの係合部４１、係合部４２で後述するハウジング２の係合片１０２、１１２及び１２２を収容することでハウジング２に固定される。これらの第１カバー部材３及び第２カバー部材４は、それぞれ後述する第１装着部７及び第２装着部８を覆うようにハウジング２に固定される。
【００１９】
第１カバー部材３の上面における右方側の所定位置には、後述する係合ピン１８を下方側に付勢する付勢片３３と、後述するスライダ１６が所定位置まで移動した場合にその上面に接触して荷重を与える付勢片３４とが形成されている。また、第１カバー部材３の上面における左方側の所定位置には、ハウジング２の所定箇所に接触して第１カバー部材３の位置決めを行う位置決め部３５が形成されている。なお、これらの付勢片３３及び付勢片３４、並びに、位置決め部３５は、第１カバー部材３の一部を切り起こして形成されている。
【００２０】
第１カバー部材３の右方側の端面の所定位置には、下方側に延出する一対の接続部材３６が設けられている。これらの接続部材３６は、第２カバー部材４の右方側の側面の所定位置に上方側に延出して設けられた接続部材４３に対応する位置に配置され、第１カバー部材３と第２カバー部材４とを電気的に接続するものである。第２カバー部材４は、グランド接続されており、この第２カバー部材４に対して第１カバー部材３を電気的に接続することにより、外来ノイズに対する耐性を確保するものとなっている。
【００２１】
ハウジング２は、合成樹脂材料などの絶縁材料を成型して形成され、図３に示すように、概して偏平な形状を有している。ハウジング２には、その上面に第１カードＡが装着される第１装着部７が形成される一方、その下面に第２カードＢが装着される第２装着部８が形成されている（第２装着部８については図３に不図示）。第１装着部７と第２装着部８との間には、これらを仕切る仕切り壁９が配設されている。また、ハウジング２には、その前面を構成する前壁部１０と、その後面を構成する後壁部１１と、その右方側の側面を構成する側壁部１２と、その左方側の側面を構成する側壁部１３とが設けられている。なお、後壁部１１は第１側面を構成し、左方側の側壁部１３は第２側面を構成し、前壁部１０は第３側面を構成し、右方側の側壁部１２は第４側面を構成する。
【００２２】
これらの前壁部１０の所定位置には、上述した第１カバー部材３に設けられた係合部３１と係合する係合片１０１と、第２カバー部材４に設けられた係合部４１と係合する係合片１０２とが設けられている（図３に不図示、図５参照）。同様に、後壁部１１の所定位置には、第１カバー部材３の係合部３１と係合する係合片１１１と、第２カバー部材４の係合部４１と係合する係合片１１２とが設けられている。また、側壁部１２の所定位置には、第１カバー部材３の係合部３２と係合する係合片１２１と、第２カバー部材４の係合部４２と係合する係合片１２２とが設けられている。同様に、側壁部１３の所定位置には、第１カバー部材３の係合部３２と係合する係合片１３１が設けられている（図３に不図示、図５参照）。
【００２３】
図４及び図５に示すように、仕切り壁９の前方側端部近傍には、第１カードＡ用の複数の第１コンタクト端子１４がコネクタ１の左右方向に並べて設けられている。これらの第１コンタクト端子１４は、仕切り壁９に対向して配置されている。また、これらの第１コンタクト端子１４の外部接続部１４１は、コネクタ１の前壁部１０から前方に導出されている。例えば、これらの第１コンタクト端子１４は、成型されたハウジング２に対して上方側から取り付けられる。
【００２４】
仕切り壁９の所定位置には、コネクタ１の前後方向に並べて複数の開口部９１、９２が形成されている。これらの開口部９１、９２に対応する位置に第２カードＢ用の複数の第２コンタクト端子１５が設けられている。これらの第２コンタクト端子１５は、仕切り壁９に対向して配置されている。また、これらの第２コンタクト端子１５の外部接続部１５１は、コネクタ１の左方側の側壁部１３から左方側に導出されている。例えば、これらの第２コンタクト端子１５は、ハウジング２に対してインサート成形される。これらの第２コンタクト端子１５のうち、最も前方側に配置される第２コンタクト端子１５は、図５に示すように、開口部９１、９２において、第１コンタクト端子１４と直接的に対向するものとなっている。
【００２５】
ハウジング２の内部における右方側の側壁部１２の近傍には、第１カードＡの挿入及び排出動作に伴ってコネクタ１の前後方向にスライド移動可能なスライドダ１６と、このスライダ１６を第１カードＡの排出方向側に付勢する付勢ばね１７と、スライダ１６の上面に形成されたカム溝１６１と係合し、付勢ばね１７の付勢力に抗してスライダ１６を所定の位置に保持する係合ピン１８とが配設されている。
【００２６】
スライダ１６は、例えば、絶縁性の樹脂材料を成型して形成され、その後方側部分の上面にカム溝１６１が形成されると共に、コネクタ１に挿入される第１カードＡの側面に形成された凹部Ａ２（図１参照）と係合する突出部１６２ａを有する板ばね１６２が埋め込まれている。カム溝１６１は、図５に示すように、概してハート形状を有するハート型カム１６１ａと、このハート型カム１６１ａの左方側に配置される第１ガイド溝１６１ｂ、右方側に配置される第２ガイド溝１６１ｃ、並びに、第１及び第２ガイド溝１６１ｂ、１６１ｃに連結され、係合ピン１８の一端を係止する係止部を有する凹み溝１６１ｄで構成される。なお、カム溝１６１には、係合ピン１８を一定方向に案内すべく、その内底面に所定の段差部が形成されている。
【００２７】
係合ピン１８は、前方側の一端がこのように構成されたカム溝１６１に係合する一方、後方側の一端がハウジング２の後壁部１１に形成された保持穴１１３に回動自在に保持されている。係合ピン１８の前方側の一端は、コネクタ１に対する第１カードＡの挿入動作に伴って第１ガイド溝１６１ｂ、凹み溝１６１ｄ及び第２ガイド溝１６１ｃに沿って案内され、コネクタ１に装着された状態においては、凹み溝１６１ｄの係止部に係止されるものとなっている。なお、係合ピン１８には、上述した第１カバー部材３の付勢片３３による付勢力が加わっており、その付勢力によりカム溝１６１側に押し付けられた状態とされている。
【００２８】
ハウジング２の内部における左方側の側壁部１３の近傍には、第１カードＡの挿着状態を検出する検出手段としてのカード検出スイッチ（以下、単に「検出スイッチ」という）１９が配設されている。検出スイッチ１９は、第１カードＡと接触して回動する駆動部材としてのレバー１９１と、このレバー１９１に保持される可動接点ばね１９２と、側壁部１３の前方側端部近傍に設けられ、可動接点ばね１９２が離接する第１固定接点１９３ａ、第２固定接点１９３ｂとから構成される。レバー１９１は、その後方側（第１カード挿入口側）の端部近傍においてハウジング２に設けられた軸部２１に回動可能に軸支されており、その一部を第１カードＡの挿入経路上に突出させている。
【００２９】
ここで、本実施の形態に係るコネクタ１が有する検出スイッチ１９の構成について説明する。図６は、本実施の形態に係るコネクタ１が有する検出スイッチ１９の周辺の拡大図である。なお、図６においては、第１カードＡがコネクタ１に挿入されていない状態について示している。図７は、本実施の形態に係るコネクタ１が有する検出スイッチ１９のレバー１９１及び可動接点ばね１９２の構成を説明するための図である。なお、図７（ａ）及び（ｂ）は、それぞれレバー１９１及び可動接点ばね１９２の上面図及び下面図を示し、図７（ｃ）は、図７（ａ）の左方側から見たレバー１９１及び可動接点ばね１９２の側面図を示している。
【００３０】
レバー１９１は、例えば、絶縁性の樹脂材料を成型して形成され、図７（ａ）に示すように、ハウジング２の軸部２１を収容する開口部１９１ａと、第１カードＡの前方側端部近傍と当接する当接部１９１ｂとを有している。また、レバー１９１は、図７（ｂ）に示すように、可動接点ばね１９２を保持する軸部１９１ｃと、この軸部１９１ｃに保持された可動接点ばね１９２を収納する収納部１９１ｄとを有している。さらに、レバー１９１は、コネクタ１の前方側端部に、ハウジング２の内壁と当接してレバー１９１の一定位置以上の回動を規制する規制片１９１ｅを有している。図６に示すように、レバー１９１は、軸部２１を開口部１９１ａに収容した状態で可動接点ばね１９２の付勢力により第１カードＡの挿入経路側に付勢された状態で取り付けられ、当接部１９１ｂをその挿入経路上に突出させている。この場合におけるレバー１９１の位置決めは規制片１９１ｅにより行われる。
【００３１】
可動接点ばね１９２は、図７（ｂ）に示すように、捻りコイルばねで構成され、レバー１９１の軸部１９１ｃに保持される捻れ部１９２ａと、この捻れ部１９２ａからコネクタ１の後方側に延出する第１接点部１９２ｂと、捻れ部１９２ａからコネクタ１の前方側に延出する第２接点部１９２ｃとを有している。なお、第１接点部１９２ｂ及び第２接点部１９２ｃは、略同一の長さを有すると共に、それらの先端部近傍において折り曲げられており、これらの折曲部でそれぞれ第１固定接点部１９３ａ、第２固定接点部１９３ｂに接触するものとなっている。
【００３２】
また、レバー１９１に保持された状態において、第２接点部１９２ｃは、図７（ａ）、（ｂ）に示すように、第１接点部１９２ｂよりもハウジング２の側壁部１３側に向かって鋭角に延出し、その折曲部が第１接点部１９２ｂの折曲部よりもレバー１９１から離れた位置（コネクタ１の左方側の位置）に配置されるように構成されている（図７（ｃ）参照）。すなわち、第２接点部１９２ｃの折曲部は、第１接点部１９２ｂの折曲部よりも遠い側壁部１３の内壁面まで到達にできるように構成されている。
【００３３】
ここで、これらの可動接点ばね１９２の第１接点部１９２ｂ、第２接点部１９２ｃが接触するハウジング２の側壁部１３の構成について説明する。図６に示すように、側壁部１３の内壁面には、第１面１３２ａと、第２面１３２ｂと、これらを接続する傾斜面１３２ｃとが設けられている。第２面１３２ｂは、第１面１３２ａよりもコネクタ１の前方側（奥側）に配置されると共に、第１面１３２ａよりもコネクタ１の外側（左方側）の位置に配置されている。傾斜面１３２ｃは、コネクタ１の前方側に向けて、コネクタ１の外側（左方側）に傾斜し、第１面１３２ａと第２面１３２ｂとを接続している。すなわち、側壁部１３の内壁面には、前方側に向けて内部空間が広がる段差が形成されている。このように側壁部１３に配置された第１面１３２ａに第１固定接点部１９３ａが設けられる一方、第２面１３２ｂに第２固定接点１９３ｂが設けられている。
【００３４】
なお、軸部２１は、側壁部１３における第１固定接点部１９３ａから一定距離空けて後方側の位置に形成された凹部１３３に一部が配置されるように設けられている。レバー１９１は、図６に示すように、開口部１９１ａでこの軸部２１を収容するように取り付けられる。この場合において、可動接点ばね１９２における第１接点部１９２ｂは、第１固定接点１９３ａに常時接触するように配置されている。一方、第２接点部１９２ｃは、第１カードＡが挿入されていない状態において、第２固定接点部１９３ｂよりも後方側の第２面１３２ｂに接触するように配置されている。このとき、第２接点部１９２ｃは、第２固定接点部１９３ｂに接触していない状態となっている。
【００３５】
上述したように、可動接点ばね１９２において、第２接点部１９２ｃは、第１接点部１９２ｂよりもハウジング２の側壁部１３側に向かって鋭角に延出し、その折曲部が第１接点部１９２ｂよりもコネクタ１の左方側の位置に配置されている。しかしながら、第２接点部１９２ｃは、第１面１３２ａよりも側方側に内部空間が広く設けられた第２面１３２ｂに対応する位置に配置されていることから、可動接点ばね１９２がこのような構成を有する場合においても、適切にハウジング２の内部に配置できるものとなっている。
【００３６】
次に、本実施の形態に係るコネクタ１に対して第１カードＡが装着された状態について説明する。図８は、本実施の形態に係るコネクタ１のハウジング２の上面図である。図８においては、コネクタ１に第１カードＡが装着された状態（ロック状態）について示している。なお、図８においては、第１カバー部材３を省略している。
【００３７】
コネクタ１に第１カードＡが挿入されると、その過程で第１カードＡの右方側の前端部がスライダ１６に当接すると共に、スライダ１６に埋め込まれた板ばね１６２の突出部１６２ａが第１カードＡの凹部Ａ２に係合した状態となり、スライダ１６が第１カードＡと一緒にスライド移動するものとなる。そして、所定位置まで第１カードＡが押し込まれると、係合ピン１８は、スライダ１６のスライド移動に伴い、そのカム溝１６１内を案内され、その前方側端部が凹み溝１６１ｄの係止部に係止された状態（ロック状態）とされる。
【００３８】
また、第１カードＡが挿入される過程でその左方側の前端部は、レバー１９１の当接部１９１ｂに当接し、レバー１９１の前方側端部を、軸部２１を回動支点として反時計回転方向に回動させる。この場合、レバー１９１の前方側部分は、可動接点ばね１９２の付勢力に抗してハウジング２の側壁部１３に接近していく。この場合において、可動接点ばね１９２の第１接点部１９２ｂ及び第２接点部１９２ｃは、側壁部１３に押し付けられ、互いに離間するように押し広げられていくこととなる。そして、第１接点部１９２ｂが第１固定接点部１９３ａに接触する一方、第２接点部１９２ｃが第２固定接点部１９３ｂに接触した状態となると、検出スイッチ１９においては、コネクタ１に対する第１カードＡの挿着を検出するものとなっている。
【００３９】
ここで、本実施の形態に係るコネクタ１に対して第１カードＡが装着された場合における検出スイッチ１９の状態について説明する。図９は、本実施の形態に係るコネクタ１が有する検出スイッチ１９の周辺の拡大図である。なお、図９においては、第１カードＡがコネクタ１に装着された状態について示している。
【００４０】
第１カードＡの挿入に伴ってレバー１９１が回動すると、上述したように、検出スイッチ１９においては、可動接点ばね１９２の第１接点部１９２ｂ及び第２接点部１９２ｃが互いに離間するように押し広げられた状態となる。この場合、可動接点ばね１９２においては、図９に示すように、第１接点部１９２ｂが第１固定接点１９３ａ上を僅かに後方側に摺動する一方、第２接点部１９２ｃが側壁部１３の第２固定接点部１９３ｂの後方側の内壁面から第２固定接点部１９３ｂに到達するまで前方側に大きく摺動するものとなっている。これは、第２接点部１９２ｃを、第１接点部１９２ｂよりもハウジング２の側壁部１３側に向かって鋭角に延出させ、レバー１９１の回動に伴って発生する駆動力を第１接点部１９２ｂよりも受け易くしたためである。
【００４１】
本実施の形態に係るコネクタ１においては、このように第２接点部１９２ｃを第１接点部１９２ｂよりもハウジング２の側壁部１３側に向かって鋭角に延出させ、その折曲部を第１接点部１９２ｂの折曲部よりも外側（左方側）に配置する一方、ハウジング２の側壁部１３の内壁面に段差を設けて第２接点部１９２ｃを収容している。そして、第１カードＡの挿入に伴ってレバー１９１が回動する際、第１接点部１９２ｂを僅かに摺動させる一方、第２接点部１９２ｃを大きく摺動させることにより、レバー１９１の回動量に応じた第２接点部１９２ｃの摺動量を増加させている。これにより、第２接点部１９２ｃの摺動領域に対応するための前壁部１０までの距離を短縮することができるので、ハウジング２における前後方向の寸法を小さくすることが可能となる。
【００４２】
ここで、本実施の形態に係るコネクタ１で得られる効果を説明するために、検出スイッチ１９の周辺の構造を一部変形した形態のコネクタ１００について説明する。図１０〜図１３は、本実施の形態に係るコネクタ１が有する検出スイッチ１９の周辺の一部を変形したコネクタ１００の上面図である。なお、図１０〜図１３においては、第１カバー部材３を省略している。
【００４３】
図１０〜図１３においては、可動接点ばね１９２が接触する側壁部１３に段差を設けていない態様について示している。特に、図１０及び図１１においては、本実施の形態に係るコネクタ１が有するハウジング２の前後方向の寸法Ｌ１と同一寸法のハウジング２を有する場合について示している（図５参照）。この場合において、軸部２１及びレバー１９１の位置は、本実施の形態に係るコネクタ１と同一である。一方、図１２及び図１３においては、本実施の形態に係るコネクタ１が有するハウジング２の前後方向の寸法Ｌ１よりも前後方向に長い寸法Ｌ２のハウジング２を有する場合について示している（図５参照）。
【００４４】
なお、図１０〜図１３に示すコネクタ１００においては、側壁部１３に段差が設けられていないため、可動接点ばね１９２における第１接点部１９２ｂと、第２接点部１９２ｃとが略同一の角度をもって側壁部１３側に延出する点で本実施の形態に係るコネクタ１と相違する。また、ハウジング２の前後方向の寸法の相違から、図１０に示すコネクタ１００においては、可動接点ばね１９２における第１接点部１９２ｂが第１カードＡの挿入に伴って第１固定接点部１９３ａと離接する構成を有する点で本実施の形態に係るコネクタ１と相違する。
【００４５】
図１０に示すように、ハウジング２が本実施の形態に係るコネクタ１が有するハウジング２の前後方向の寸法Ｌ１と同一寸法を有するコネクタ１００においては、可動接点ばね１９２における第１接点部１９２ｂと、第２接点部１９２ｃとが略同一の角度をもって側壁部１３側に延出することから、当該第２接点部１９２ｃが、本実施の形態に係るコネクタ１の第２接点部１９２ｃよりもコネクタ１の前方側の位置で側壁部１３の内壁に接触している。
【００４６】
この場合、本実施の形態に係るコネクタ１に比べ、第２接点部１９２ｃの摺動領域を確保することができないことから、レバー１９１が第１カードＡの挿入に伴って回動すると、第２接点部１９２ｃは、図１１に示すように、ハウジング２の前壁部１０の内壁面に接触する。この場合には、第２接点部１９２ｃが破損する事態を引き起こし、検出スイッチ１９において適切に第１カードＡの挿着を検出することができなくなる。なお、図１１においては、説明の便宜上、前壁部１０の内壁面に接触した第２接点部１９２ｃの一部を省略している。
【００４７】
一方、図１２に示すように、ハウジング２が本実施の形態に係るコネクタ１が有するハウジング２の前後方向の寸法Ｌ１よりも長い寸法Ｌ２を有するコネクタ１００においては、第１カードＡの挿入に応じてレバー１９１が回動する場合においても、図１３に示すように、第２接点部１９２ｃと、前壁部１０の内壁面とを接触させることなく可動接点ばね１９２を押し広げることが可能となる。しかしながら、この場合には、ハウジング２の小型化を図ることができず、結果としてコネクタ１を小型化することが困難となる。
【００４８】
以上説明したように、本実施の形態に係るコネクタ１においては、ハウジング２の側壁部１３において、第２固定接点部１９３ｂを、第１固定接点部１９３ａよりも前方側（カード挿入方向の奥側）に配置すると共に、第１固定接点部１９３ａが形成される平面（第１面１３２ａ）よりもレバー１９１の回動方向の外側の位置に配置する一方、可動接点ばね１９２の第２接点部１９２ｃを第１接点部１９２ｂよりも鋭角に側壁部１３側に延出させている。これにより、第２接点部１９２ｃが鈍角に延出する場合（例えば、図１０、図１２に示す場合）と比べてカード挿入方向側に第２接点部１９２ｃの摺動領域を確保することができるので、ハウジング２内の限られたスペースを有効に活用し、適切に第１カードＡの挿着を検出することが可能となる。
【００４９】
特に、本実施の形態に係るコネクタ１においては、固定接点部１９３をハウジング２に設け、第１固定接点部１９３ａが設けられた第１面１３２ａと、第２固定接点部１９３ｂが設けられた第２面１３２ｂとの間に段差を設けていることから、簡単な構成により第１固定接点部１９３ａが形成される第１面１３２ａよりもレバー１９１の回動方向の外側の位置に第２固定接点１９３ｂを精度良く配置することが可能となる。
【００５０】
また、本実施の形態に係るコネクタ１においては、固定接点部１９３をハウジング２の側壁部１３に設けられていることから、コネクタ１における厚さ方向の構成を簡素化することができるので、コネクタ１の厚さ寸法を薄型化することが可能となる。
【００５１】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５２】
例えば、上記実施の形態においては、固定接点部１９３をハウジング２の側壁部１３に設ける場合について説明しているが、固定接点部１９３が設けられるハウジング２の位置については適宜変更が可能である。例えば、ハウジング２の底面部に段差を設け、その第１面に第１固定接点部１９３ａを設ける一方、第２面に第２固定接点部１９３ｂを設けるようにしても良い。このようにハウジング２に固定接点部１９３を設けた場合においては、コネクタ１の厚さ寸法の薄型化を除き、上記実施の形態と同様の効果を得ることが可能である。
【図面の簡単な説明】
【００５３】
【図１】本実施の形態に係るコネクタと、コネクタに装着される第１及び第２カードとを示す斜視図である。
【図２】上記実施の形態に係るコネクタと、コネクタに装着される第１及び第２カードとを示す斜視図である。
【図３】上記実施の形態に係るコネクタの分解斜視図である。
【図４】上記実施の形態に係るコネクタのハウジングの斜視図である。
【図５】上記実施の形態に係るコネクタのハウジングの上面図である。
【図６】上記実施の形態に係るコネクタが有する検出スイッチの周辺の拡大図である。
【図７】上記実施の形態に係るコネクタが有する検出スイッチのレバー及び可動接点ばねの構成を説明するための図である。
【図８】上記実施の形態に係るコネクタのハウジングの上面図である。
【図９】上記実施の形態に係るコネクタが有する検出スイッチの周辺の拡大図である。
【図１０】上記実施の形態に係るコネクタが有する検出スイッチの周辺の一部を変形したコネクタの上面図である。
【図１１】上記実施の形態に係るコネクタが有する検出スイッチの周辺の一部を変形したコネクタの上面図である。
【図１２】上記実施の形態に係るコネクタが有する検出スイッチの周辺の一部を変形したコネクタの上面図である。
【図１３】上記実施の形態に係るコネクタが有する検出スイッチの周辺の一部を変形したコネクタの上面図である。
【符号の説明】
【００５４】
Ａ  第１カード
Ａ１  接触パッド
Ｂ  第２カード
Ｂ１  接触パッド
１、１００  カード用コネクタ（コネクタ）
２  ハウジング
２１  軸部
３  第１カバー部材
３１  付勢部
３２  開口部
３３  枠形状部
３３ａ  係合部
３６  接続部材
４  第２カバー部材
４３  接続部材
５  第１カード挿入口
６  第２カード挿入口
７  第１装着部
８  第２装着部
９  仕切り壁
９１、９２  開口部
１０  前壁部
１１  後壁部
１２、１３  側壁部
１３２ａ  第１面
１３２ｂ  第２面
１３２ｃ  傾斜面
１４  第１コンタクト端子
１４１  外部接続部
１５  第２コンタクト端子
１５１  外部接続部
１５２  接点部
１５３  凹部
１６  スライダ
１６１  カム溝
１６１ａ  ハート形カム
１６１ｂ  第１ガイド溝
１６１ｃ  第２ガイド溝
１６１ｄ  凹み溝
１７  付勢ばね
１８  係合ピン
１９  検出スイッチ（カード検出スイッチ）
１９１  レバー
１９１ａ  開口部
１９１ｂ  当接部
１９１ｃ  軸部
１９１ｄ  収納部
１９１ｅ  規制片
１９２  可動接点ばね
１９２ａ  捻れ部
１９２ｂ  第１接点部
１９２ｃ  第２接点部
１９３  固定接点部
１９３ａ  第１固定接点部
１９３ｂ  第２固定接点部
【図１】
2009277632.tif 000003
【図２】
2009277632.tif 000004
【図３】
2009277632.tif 000005
【図４】
2009277632.tif 000006
【図５】
2009277632.tif 000007
【図６】
2009277632.tif 000008
【図７】
2009277632.tif 000009
【図８】
2009277632.tif 000010
【図９】
2009277632.tif 000011
【図１０】
2009277632.tif 000012
【図１１】
2009277632.tif 000013
【図１２】
2009277632.tif 000014
【図１３】
2009277632.tif 000015